(57)【特許請求の範囲】
【請求項１】
上面開口で箱型のコネクタハウジングを上面に一体に形成した蓋体と、中間部に一体成形された樹脂ベース部から上下方向に複数の端子が突出し、上方向の端子が上記コネクタハウジングの内底面に挿入されたコネクタプラグ体と、このコネクタプラグ体の下方向の端子に接続され、電子部品が実装された配線基板と、この配線基板を収納し上面開口部が上記蓋体に覆われると共に、上記コネクタハウジング下面の位置で内底面から突出し、上面が上記配線基板下面に当接してコネクタプラグ体を保持するコネクタ固定部が設けられた箱型のケースからなり、コネクタ固定部上面に締付用孔を形成し、この締付用孔にネジを締め付けてコネクタプラグ体と配線基板を挟み込んだコネクタ付電子機器。
【請求項２】
樹脂ベース部と端子をインサート成形してコネクタプラグ体を形成すると共に、樹脂ベース部の端子の突出方向と直交する方向に略半円形状のネジ締付部を設けた請求項１記載のコネクタ付電子機器。
【発明の詳細な説明】
【０００１】
【発明の属する技術分野】
本発明は、主として自動車等に用いられるコネクタ付電子機器に関するものである。
【０００２】
【従来の技術】
コネクタを介して車体側と電気的に接続され、様々な検出や制御を行うコネクタ付電子機器の一例としては、自動車のハンドルの回転量を検出する回転角センサ等がある。
【０００３】
このような従来のコネクタ付電子機器について、図６及び図７を用いて説明する。
【０００４】
図６は従来のコネクタ付電子機器の側面断面図、図７は同分解斜視図であり、同図において、１は上面開口で箱型のハウジング１Ａが形成された絶縁樹脂製のコネクタで、内底部１Ｂには上下方向に突出した複数の端子２が挿入され、左側面にはこの端子２の突出方向と直交する方向に突出し締付用孔１Ｃを設けた取付部１Ｄが形成されている。
【０００５】
そして、３は複数の電子部品４が実装された配線基板で、コネクタ１の下方向の端子２が半田付けされて接続されると共に、取付部１Ｄの締付用孔１Ｃに下方からネジ５が締め付けられて、コネクタ１が固定されている。
【０００６】
また、６は配線基板３を収納した箱型のケースで、配線基板３がネジ７によってケース６に固定されると共に、上面開口部は蓋体８に覆われ、この蓋体８からコネクタ１のハウジング１Ａが上方に突出してコネクタ付電子機器が構成されている。
【０００７】
以上のような構成のコネクタ付電子機器の製作方法について説明すると、先ず、複数の端子２を導電性金属板から一本ずつ所定の形状に打ち抜き、これをコネクタ１の内底部１Ｂの端子孔に一本ずつ圧入した後、下方向の端子２を複数の電子部品４が実装された配線基板３に半田付けする。
【０００８】
そして、取付部１Ｄの締付用孔１Ｃに下方からネジ５を締め付けて、コネクタ１を配線基板３に固定し、この配線基板３をネジ７によってケース６に固定した後、ケース６の上面開口部を蓋体８で覆い、この蓋体８をネジ等によってケース６に固定して、コネクタ付電子機器が完成するものであった。
【０００９】
【発明が解決しようとする課題】
しかしながら上記従来のコネクタ付電子機器においては、ハウジング１Ａの側面に突出した取付部１Ｄの締付用孔１Ｃによって、コネクタ１が配線基板３に固定されているため、配線基板３上にコネクタ１の占める面積が大きくなり、機器全体の小型化を図ることが困難であると共に、コネクタ１に車体側のコネクタを着脱した際等に、その力が配線基板３に加わるため、配線基板３の配線パターンや実装した電子部品４にストレスが加わり易いという課題があった。
【００１０】
本発明は、このような従来の課題を解決するものであり、コネクタが配線基板上に占める面積を小さくして機器全体の小型化が可能になると共に、配線基板へのストレスが加わり難いコネクタ付電子機器を提供することを目的とする。
【００１１】
【課題を解決するための手段】
上記目的を達成するために本発明は、上面開口で箱型のコネクタハウジングを上面に一体に形成した蓋体と、中間部に一体成形された樹脂ベース部から上下方向に複数の端子が突出し、上方向の端子がコネクタハウジングの内底面に挿入されたコネクタプラグ体によってコネクタを形成すると共に、コネクタハウジング下面の位置で内底面から突出し、上面が配線基板下面に当接してコネクタプラグ体を保持するコネクタ固定部が設けられた箱型のケースからなり、コネクタ固定部上面に締付用孔を形成し、この締付用孔にネジを締め付けてコネクタプラグ体と配線基板を挟み込んだコネクタ付電子機器を構成するものである。
【００１２】
これにより、コネクタの面積が小さく機器全体の小型化が図れ、配線基板へのストレスが加わり難いコネクタ付電子機器を得ることができる。
【００１３】
【発明の実施の形態】
本発明の請求項１に記載の発明は、上面開口で箱型のコネクタハウジングを上面に一体に形成した蓋体と、中間部に一体成形された樹脂ベース部から上下方向に複数の端子が突出し、上方向の端子が上記コネクタハウジングの内底面に挿入されたコネクタプラグ体と、このコネクタプラグ体の下方向の端子に接続され、電子部品が実装された配線基板と、この配線基板を収納し上面開口部が上記蓋体に覆われると共に、上記コネクタハウジング下面の位置で内底面から突出し、上面が上記配線基板下面に当接してコネクタプラグ体を保持するコネクタ固定部が設けられた箱型のケースからなり、コネクタ固定部上面に締付用孔を形成し、この締付用孔にネジを締め付けてコネクタプラグ体と配線基板を挟み込んだコネクタ付電子機器としたものであり、コネクタハウジングを一体に形成した蓋体と、樹脂ベース部から上下方向に複数の端子が突出したコネクタプラグ体によってコネクタを形成すると共に、ケースの内底面から突出し、上面が配線基板下面に当接してコネクタプラグ体を保持するコネクタ固定部を、コネクタハウジング下面の位置に設けることによって、コネクタの配線基板上に占める面積を小さくして機器全体の小型化が図れると共に、コネクタに車体側のコネクタを着脱した際等の力は全て蓋体やケースに加わるため、配線基板へのストレスが加わり難いコネクタ付電子機器を得ることができるという作用を有する。
さらに、コネクタ固定部上面に締付用孔を形成し、この締付用孔にネジを締め付けてコネクタプラグ体と配線基板を挟み込んだことにより、ネジによってコネクタプラグ体と配線基板をケースの確実に保持することができるという作用を有する。
【００１５】
請求項２に記載の発明は、請求項１記載の発明において、樹脂ベース部と端子をインサート成形してコネクタプラグ体を形成すると共に、樹脂ベース部の端子の突出方向と直交する方向に略半円形状のネジ締付部を設けたものであり、コネクタプラグ体の金型を簡易なものとし、容易に製作することができるという作用を有する。
【００１６】
以下、本発明の実施の形態について、図１〜図５を用いて説明する。
【００１７】
なお、従来の技術の項で説明した構成と同一構成の部分には同一符号を付して、詳細な説明を省略する。
【００１８】
（実施の形態）
図１は本発明の一実施の形態によるコネクタ付電子機器の側面断面図、図２は同分解斜視図であり、同図において、１０は上面開口で箱型のコネクタハウジング１０Ａを上面に一体に形成した蓋体、１１は中間部に一体にインサート成形された樹脂ベース部１１Ａから上下方向に複数の端子１２が突出したコネクタプラグ体で、上方向の端子１２がコネクタハウジング１０Ａの内底面１０Ｂに挿入されてコネクタが形成されると共に、樹脂ベース部１１Ａの端子１２の突出方向と直交する方向には略半円形状のネジ締付部１１Ｂが設けられている。
【００１９】
そして、３は複数の電子部品４が実装された配線基板で、右端にコネクタプラグ体１１の下方向の端子１２が半田付けされて接続されると共に、左端にはＬＥＤ１３やフォトＩＣ１４が実装され、この間に外周に複数の孔を設けた円盤状のディスク１５が配置されている。
【００２０】
また、１６は配線基板３を収納した箱型のケースで、内底面にコネクタハウジング１０Ａ下面の位置で突出し、上面が配線基板３下面に当接したコネクタ固定部１６Ａが設けられ、このコネクタ固定部１６Ａ上面に形成した締付用孔１６Ｂにネジ１７が上方から締め付けられ、ネジ締付部１１Ｂを挿通したネジ１７によって、コネクタプラグ体１１と配線基板３が挟み込まれてケース１６に保持固定されている。
【００２１】
そして、配線基板３の左端がネジ７によってケース１６に固定されると共に、ケース１６の上面開口部を蓋体１０が覆い、この蓋体１０がネジ等によってケース１６に固定されて、コネクタ付電子機器が構成されている。
【００２２】
以上の構成において、コネクタプラグ体１１の端子１２がコネクタを介して車体側と電気的に接続され、自動車のハンドル（図示せず）を回転すると、これに連動してディスク１５が回転し、ディスク１５外周の孔の数からＬＥＤ１３とフォトＩＣ１４が回転量を検出するように、回転角センサとしてのコネクタ付電子機器は構成されている。
【００２３】
このように構成されたコネクタ付電子機器の製作方法について説明すると、先ず、図３の外観斜視図に示すように、帯状の導電性金属板を打ち抜き加工して、下端の連結桟１２Ａで連結された複数の端子１２を形成した後、中間部に樹脂ベース部１１Ａを一体にインサート成形し、連結桟１２Ａを切断してコネクタプラグ体１１を形成する。
【００２４】
なお、樹脂ベース部１１Ａの側面には、端子１２の突出方向と直交する方向にネジ締付部１１Ｂが設けられているが、このネジ締付部１１Ｂは略半円形状となっているため、インサート成形のための金型は、前後の二方向に分割可能な簡易な構造のものとすることができる。
【００２５】
そして、ネジ等によってコネクタプラグ体１１を配線基板３に仮止めした後、下方向の端子１２を複数の電子部品４が実装された配線基板３に半田付けし、ケース１６の内底面にコネクタハウジング１０Ａ下面の位置で突出したコネクタ固定部１６Ａの締付用孔１６Ｂに、ネジ１７を上方から締め付けコネクタプラグ体１１と配線基板３をケース１６に保持固定する。
【００２６】
最後に、配線基板３の左端をネジ７によってケース１６に固定した後、ケース１６の上面開口部を蓋体１０で覆い、この蓋体１０をネジ等によってケース１６に固定して、コネクタ付電子機器が完成する。
【００２７】
このように本実施の形態によれば、コネクタハウジング１０Ａを一体に形成した蓋体１０と、樹脂ベース部１１Ａから上下方向に複数の端子１２が突出したコネクタプラグ体１１によってコネクタを形成すると共に、ケース１６の内底面から突出し、上面が配線基板３下面に当接してコネクタプラグ体１１を保持するコネクタ固定部１６Ａを、コネクタハウジング１０Ａ下面または近傍の位置に設けることによって、コネクタが配線基板３上に占める面積を小さくして機器全体の小型化が可能になると共に、コネクタに車体側のコネクタを着脱した際等の力は全て蓋体１０やケース１６に加わるため、配線基板３へのストレスが加わり難いコネクタ付電子機器を得ることができるものである。
【００２８】
また、コネクタ固定部１６Ａ上面に締付用孔１６Ｂを形成し、この締付用孔１６Ｂにネジ１７を締め付けてコネクタプラグ体１１と配線基板３を挟み込むことによって、コネクタプラグ体１１と配線基板３をケース１６に確実に保持することができる。
【００２９】
さらに、樹脂ベース部１１Ａと端子１２をインサート成形してコネクタプラグ体１１を形成すると共に、樹脂ベース部１１Ａの端子の突出方向と直交する方向に略半円形状のネジ締付部１１Ｂを設けることによって、コネクタプラグ体１１の金型を簡易なものとし、容易に製作することもできる。
【００３０】
なお、以上の説明では、ケース１６の内底面にコネクタ固定部１６Ａを突出させ、この締付用孔１６Ｂにネジ１７を締め付けてコネクタプラグ体１１と配線基板３をケース１６に保持固定する構成について説明したが、締付用孔１６Ｂやネジ１７に代えて、コネクタ固定部１６Ａ上面に爪部等を設け、この爪部を配線基板３に設けた孔や切欠きから挿通させ、爪部先端を樹脂ベース部１１Ａに圧入係止してコネクタプラグ体１１と配線基板３を保持固定する等、様々な形態での本発明の実施が可能である。
【００３１】
また、以上の説明では、配線基板３が一枚の場合について説明したが、図４の側面断面図、及び図５の分解斜視図に示すように、配線基板を二枚に分割して、配線基板３Ａにはコネクタプラグ体１１を接続し、配線基板３Ｂにはストレスに弱い複数の電子部品４等を実装して、この配線基板３Ａと３Ｂを所定の間隔で重ね、可撓性を有するジャンパー線１８で接続する構成とすることによって、複数の電子部品４等へのストレスを確実に防止できると共に、左右方向に加え上下方向にも機器の小型化を図ったコネクタ付電子機器を得ることができる。
【００３２】
【発明の効果】
以上のように本発明によれば、コネクタの面積が小さく機器全体の小型化が図れ、配線基板へのストレスが加わり難いコネクタ付電子機器を得ることができるという有利な効果が得られる。
【図面の簡単な説明】
【図１】本発明の一実施の形態によるコネクタ付電子機器の側面断面図
【図２】同分解斜視図
【図３】同コネクタプラグ体の外観斜視図
【図４】同他の実施の形態による側面断面図
【図５】同分解斜視図
【図６】従来のコネクタ付電子機器の側面断面図
【図７】同分解斜視図
【符号の説明】
３，３Ａ，３Ｂ  配線基板
４  電子部品
７，１７  ネジ
１０  蓋体
１０Ａ  コネクタハウジング
１０Ｂ  内底面
１１  コネクタプラグ体
１１Ａ  樹脂ベース部
１１Ｂ  ネジ締付部
１２  端子
１２Ａ  連結桟
１３  ＬＥＤ
１４  フォトＩＣ
１５  ディスク
１６  ケース
１６Ａ  コネクタ固定部
１６Ｂ  締付用孔
１８  ジャンパー線
【図１】
0003767297.tif 000002
【図２】
0003767297.tif 000003
【図３】
0003767297.tif 000004
【図４】
0003767297.tif 000005
【図５】
0003767297.tif 000006
【図６】
0003767297.tif 000007
【図７】
0003767297.tif 000008